(57)【要約】【課題】部品点数及び組付け工数を低減するとともに、組付け誤差の累積を抑制することができるモータ装置を提供する。【解決手段】樹脂材料よりなる筒状のハウジング本体１２の内部には、その内周面に一対の磁石３１が固定された筒状のヨーク２１が収容されている。磁石３１間には整流子４５を有する電機子４１が配置されている。ブラシ装置５１は、ホルダベース５２と、ホルダベース５２の一側面に配置され整流子４５に摺接するブラシと、ホルダベース５２の他側面に配置された電気ノイズ抑制装置７１と、ホルダベース５２に固定され電気ノイズ抑制装置７１を介してブラシに接続された給電端子６４とを有する。ホルダベース５２は、ヨーク２１の内部空間を軸方向に分割するように同ヨーク２１に固定されてヨーク２１の内部空間を電機子４１を収容するモータ室Ｒ１と電気ノイズ抑制装置７１を収容するノイズ抑制室Ｒ２とに区画している。【選択図】図２
2012044814.tif 000002
【特許請求の範囲】
【請求項１】
樹脂材料よりなる筒状のハウジング本体と、
筒状の筒状部を有し前記ハウジング本体の内部に収容されたヨークと、
前記筒状部の内周面に固定された一対の磁石と、
前記磁石間に回転可能に配置され整流子を有する電機子と、
ホルダベース、該ホルダベースの一側面に配置され前記整流子に摺接するブラシ、電気ノイズを抑制するための電気素子を備え前記ホルダベースの他側面に配置された電気ノイズ抑制装置、及び前記ホルダベースに固定され前記電気ノイズ抑制装置を介して前記ブラシに接続された給電端子を有するブラシ装置と、を備え、
前記ホルダベースは、前記ヨークの内部空間を軸方向に分割するように前記筒状部に固定されて前記ヨークの内部空間を前記電機子を収容するモータ室と前記電気ノイズ抑制装置を収容するノイズ抑制室とに区画していることを特徴とするモータ装置。
【請求項２】
請求項１に記載のモータ装置において、
前記ヨークの前記筒状部には、前記ホルダベースが固定される位置に、前記ホルダベースを軸方向に位置決めする位置決め部と、前記位置決め部と共に前記ホルダベースを挟持する固定片とが前記筒状部と一体に設けられていることを特徴とするモータ装置。
【請求項３】
請求項１又は請求項２に記載のモータ装置において、
前記ハウジング本体は円筒状をなし、
前記ヨークの前記筒状部は、軸方向と平行な平板状をなすとともにその厚さ方向に貫通した接続部が形成された平面部を備え、
前記電気ノイズ抑制装置は、２つの接続端子を有するコンデンサを前記電気素子として備え、一方の前記接続端子は、前記接続部に挿通されることにより前記ヨークに電気的に接続して固定されていることを特徴とするモータ装置。
【請求項４】
請求項２に記載のモータ装置において、
前記筒状部は、互いに平行をなす平板状の２つの平面部と、該平面部を連結する２つの曲面部とから構成され、
前記固定片は、各前記平面部に舌片状に形成され、
前記ホルダベースは、前記筒状部の内側に屈曲された前記固定片が挿入されるとともに該固定片が面接触する内側面を備えた固定凹部を有することを特徴とするモータ装置。
【請求項５】
請求項１乃至請求項４の何れか１項に記載のモータ装置において、
前記給電端子は、前記ハウジング本体における前記ノイズ抑制室側の軸方向の開口部から前記ハウジング本体の外部に導出された接続端子部を有し、
前記ハウジング本体における前記ノイズ抑制室側の軸方向の開口部は、前記接続端子部を囲繞するコネクタ部が一体に形成された端部ハウジングによって閉塞されていることを特徴とするモータ装置。
【請求項６】
請求項１乃至請求項５の何れか１項に記載のモータ装置を備えたポンプ装置であって、
前記ハウジング本体と、前記電機子の回転軸と一体回転するインペラを収容したポンプ室と、前記ポンプ室に液体を吸入するためのインレットと、前記ポンプ室内の前記液体を外部に吐出するためのアウトレットとを有するポンプハウジングを備え、
前記インペラの回転により前記インレットから前記ポンプ室に前記液体を吸入するとともに前記アウトレットから外部に前記液体を吐出することを特徴とするポンプ装置。
【発明の詳細な説明】
【技術分野】
【０００１】
本発明は、電気ノイズを抑制するための電気素子を備えたモータ装置、及び該モータ装置を駆動源とするポンプ装置に関するものである。
【背景技術】
【０００２】
例えば特許文献１及び特許文献２に記載されているように、モータ（モータ装置）には、給電用のブラシと整流子との摺接に起因する電気ノイズの発生を抑制するために、チョークコイルやコンデンサ等の電気素子からなる電気ノイズ抑制装置を備えたものがある。
【０００３】
特許文献１に記載されたモータには、電気ノイズ抑制装置が外付けされている。モータの内部には、ブラシ及び該ブラシに接続された給電端子が収容されている。そして、電気ノイズ抑制装置が外側からモータに固定されることで、電気ノイズの発生を抑制するための電気素子がブラシと給電端子との間に接続されるようになっている。
【０００４】
また、特許文献２に記載されたモータのモータハウジングは、整流子を備えた電機子が収容された有底円筒状のヨークハウジングと、該ヨークハウジングの開口部に固定されるギヤハウジングとから構成されている。ギヤハウジングは、ヨークハウジングの内側に開口する開口部を有するともに、該開口部には、前記整流子に摺接されるブラシを保持したブラシ装置が組み付けられている。このブラシ装置には、電気ノイズ抑制装置が一体的に組付けられている。そして、このモータは、ギヤハウジングの開口部にブラシ装置を組み付けた後に、同ギヤハウジングをヨークハウジングに固定することにより形成される。
【先行技術文献】
【特許文献】
【０００５】
【特許文献１】特許第３６７８９９１号公報
【特許文献２】特開２００２−３１５２７４号公報
【発明の概要】
【発明が解決しようとする課題】
【０００６】
しかしながら、特許文献１に記載されたモータでは、電気ノイズ抑制装置は、モータとは別体に形成された後にモータに対して固定されるため、電気ノイズの発生を抑制するための電気素子を保持するケース等が別途必要となる。従って、部品点数が増加するとともに組付け工数が増加するため、製造コストが増大されたり、モータの重量が増大されたりするという問題がある。
【０００７】
また、特許文献２に記載されたモータでは、電気ノイズ抑制装置は、ブラシ装置に一体的に組付けられてモータの内部に配置される。しかし、ブラシ装置は、ギヤハウジングの開口部に組み付けられた後に、ギヤハウジングと共にヨークハウジングに組み付けられる。そのため、ヨークハウジングの内部に配置された整流子に対するブラシの位置及び同整流子に対する同ブラシの姿勢には、ギヤハウジングに対するブラシ装置の組付け誤差と、ギヤハウジングとヨークハウジングとの組付け誤差とが累積されてしまう。すると、整流子に対するブラシの摺接状態が悪化する虞があるといった問題がある。
【０００８】
本発明は、こうした実情に鑑みてなされたものであって、その目的は、部品点数及び組付け工数を低減するとともに、組付け誤差の累積を抑制することができるモータ装置、及び該モータ装置を備えたポンプ装置を提供することにある。
【課題を解決するための手段】
【０００９】
上記課題を解決するため、請求項１に記載の発明は、樹脂材料よりなる筒状のハウジング本体と、筒状の筒状部を有し前記ハウジング本体の内部に収容されたヨークと、前記筒状部の内周面に固定された一対の磁石と、前記磁石間に回転可能に配置され整流子を有する電機子と、ホルダベース、該ホルダベースの一側面に配置され前記整流子に摺接するブラシ、電気ノイズを抑制するための電気素子を備え前記ホルダベースの他側面に配置された電気ノイズ抑制装置、及び前記ホルダベースに固定され前記電気ノイズ抑制装置を介して前記ブラシに接続された給電端子を有するブラシ装置と、を備え、前記ホルダベースは、前記ヨークの内部空間を軸方向に分割するように前記筒状部に固定されて前記ヨークの内部空間を前記電機子を収容するモータ室と前記電気ノイズ抑制装置を収容するノイズ抑制室とに区画していることをその要旨としている。
【００１０】
同構成によれば、磁石による磁束の磁路を形成するヨークの内部空間を、一側面にブラシが配置され他側面に電気ノイズ抑制装置が配置されたホルダベースによってモータ室とノイズ抑制室とに区画している。従って、回転駆動力を発生するモータ部分と、電気ノイズ抑制装置とが一体的に構成されるとともに、１つのヨークの内部空間をホルダベースにて区画してモータ室とノイズ抑制室とを形成しているため部品点数及び組付け工数を低減できる。また、ヨークの内部空間を軸方向に分割するようにホルダベースを筒状部に固定しているため、整流子に摺接するブラシ及び電気ノイズ抑制装置の両方が、磁路を形成するヨークによって囲まれることになる。従って、電機子に電流を供給するための電源ラインを伝わる電気ノイズを電気ノイズ抑制装置にて抑制するだけでなく、空中に輻射される電気ノイズをもヨークによって遮断することができる。よって、電気ノイズ抑制効果を向上させることができる。更に、磁石が固定されたヨークの筒状部に対して、ブラシを保持したホルダベースが直接固定されるため、組付け誤差の累積を抑制することができる。
【００１１】
請求項２に記載の発明は、請求項１に記載のモータ装置において、前記ヨークの前記筒状部には、前記ホルダベースが固定される位置に、前記ホルダベースを軸方向に位置決めする位置決め部と、前記位置決め部と共に前記ホルダベースを挟持する固定片とが前記筒状部と一体に設けられていることをその要旨としている。
【００１２】
同構成によれば、筒状部を、位置決め部及び固定片を有する形状とすることにより、別部品を追加することなく同筒状部に対してホルダベースを位置決めして固定することができる。従って、ヨークの筒状部に対するホルダベースの固定を安価に行うことができる。
【００１３】
請求項３に記載の発明は、請求項１又は請求項２に記載のモータ装置において、前記ハウジング本体は円筒状をなし、前記ヨークの前記筒状部は、軸方向と平行な平板状をなすとともにその厚さ方向に貫通した接続部が形成された平面部を備え、前記電気ノイズ抑制装置は、２つの接続端子を有するコンデンサを前記電気素子として備え、一方の前記接続端子は、前記接続部に挿通されることにより前記ヨークに電気的に接続して固定されていることをその要旨としている。
【００１４】
同構成によれば、接続部に挿入された接続端子が平面部を貫通して筒状部の外部に突出したとしても、当該接続端子において平面部よりも筒状部の外側に突出した部位は、平面部とハウジング本体との間に形成される隙間の内部に収容される。従って、ハウジング本体の内部へのヨークの挿入を円滑に行うことができるとともにコンデンサの接続端子をヨークに対して確実に電気的接続をしつつ固定できる。
【００１５】
請求項４に記載の発明は、請求項２に記載のモータ装置において、前記筒状部は、互いに平行をなす平板状の２つの平面部と、該平面部を連結する２つの曲面部とから構成され、前記固定片は、各前記平面部に舌片状に形成され、前記ホルダベースは、前記筒状部の内側に屈曲された前記固定片が挿入されるとともに該固定片が面接触する内側面を備えた固定凹部を有することをその要旨としている。
【００１６】
同構成によれば、固定片は平板状の平面部に形成されているため、その固定片も平板状に形成される。そのため、平板状の固定片は、筒状部の内側に向けて屈曲されると、固定凹部内に挿入されるとともに同固定凹部の内側面に面接触する。従って、ホルダベースを筒状部に対してがたつきなく強固に固定することができる。
【００１７】
請求項５に記載の発明は、請求項１乃至請求項４の何れか１項に記載のモータ装置において、前記給電端子は、前記ハウジング本体における前記ノイズ抑制室側の軸方向の開口部から前記ハウジング本体の外部に導出された接続端子部を有し、前記ハウジング本体における前記ノイズ抑制室側の軸方向の開口部は、前記接続端子部を囲繞するコネクタ部が一体に形成された端部ハウジングによって閉塞されていることをその要旨としている。
【００１８】
同構成によれば、ハウジング本体におけるノイズ抑制室側の軸方向の開口部が端部ハウジングによって閉塞されることで、ノイズ抑制室が密閉される。その端部ハウジングに一体に形成されたコネクタ部は、給電端子の接続端子部を囲繞するように形成されているため、給電用の外部コネクタを該コネクタ部に容易に接続することができる。そして、このコネクタ部に外部コネクタを接続することで、給電端子から電気ノイズ抑制装置を介してブラシに給電できるようになる。
【００１９】
請求項６に記載の発明は、請求項１乃至請求項５の何れか１項に記載のモータ装置を備えたポンプ装置であって、前記ハウジング本体と、前記電機子の回転軸と一体回転するインペラを収容したポンプ室と、前記ポンプ室に液体を吸入するためのインレットと、前記ポンプ室内の前記液体を外部に吐出するためのアウトレットとを有するポンプハウジングを備え、前記インペラの回転により前記インレットから前記ポンプ室に前記液体を吸入するとともに前記アウトレットから外部に前記液体を吐出することをその要旨としている。
【００２０】
同構成によれば、ポンプ装置は、部品点数及び組付け工数を低減するとともに、組付け誤差の累積を抑制することができるモータ装置を備えている。従って、ポンプ装置としても製造コストが低減されるとともに、同ポンプ装置において整流子とブラシとの摺接が円滑に行われる。また、このポンプ装置では、整流子とブラシとの摺接による電気ノイズの発生が電気ノイズ抑制装置によって抑制されるとともに、発生された電気ノイズがポンプ装置の外部に放出されることがヨークの筒状部によって抑制されている。従って、ポンプ装置は、該ポンプ装置の周囲に配置された電子機器に電気ノイズの影響を与え難くなっている。
【発明の効果】
【００２１】
本発明によれば、部品点数及び組付け工数を低減するとともに、組付け誤差の累積を抑制することができるモータ装置、及び該モータ装置を備えたポンプ装置を提供できる。
【図面の簡単な説明】
【００２２】
【図１】車両用ウォッシャ装置を備えた車両の概略図。
【図２】ポンプ装置の軸方向断面図。
【図３】ポンプ装置の径方向断面図。
【図４】（ａ）はヨークの斜視図、（ｂ）はヨークの部分断面図。
【図５】ヨーク及びブラシ装置の拡大斜視図。
【図６】ブラシ装置の斜視図。
【図７】ポンプ装置におけるモータ部分の回路図。
【図８】ポンプ装置の断面図。
【図９】ポンプ装置の径方向断面図。
【図１０】別の形態のヨークの斜視図。
【発明を実施するための形態】
【００２３】
以下、本発明を具体化した一実施形態を図面に従って説明する。
図１は、車両用ウォッシャ装置１を備えた車両２の概略図である。車両用ウォッシャ装置１は、車両２のエンジンルーム内に設置されるウォッシャタンク３と、ウォッシャタンク３に取り付けられたポンプ装置４と、車両２のフロントガラス２ａに洗浄液を噴射するフロントノズル５と、車両２のリヤガラス２ｂに洗浄液を噴射するリヤノズル６と、車室内に配置された操作スイッチ７とを備えている。尚、フロントノズル５及びリヤノズル６は、それぞれ配管８，９によってポンプ装置４と接続されている。
【００２４】
図２に示すように、ポンプ装置４の外郭を構成するポンプハウジング１１は、電気絶縁性の樹脂材料にて形成されている。ポンプハウジング１１は、円筒状のハウジング本体１２と、該ハウジング本体１２の一端側（図２において下端側）に設けられたポンプ室１３と、該ポンプ室１３の側壁１３ａに一体に形成されたインレット１４及び一対のアウトレット１５，１６とを備えている。ハウジング本体１２の一端部（図２において下端部）は、区画壁１７によって略閉塞されるとともに、該区画壁１７は、ハウジング本体１２の内部空間とポンプ室１３内とを区画している。
【００２５】
ハウジング本体１２の内部には、筒状のヨーク２１が収容されている。ヨーク２１の軸方向の長さは、ハウジング本体１２の軸方向の長さよりも若干短い。図３及び図４（ａ）に示すように、ヨーク２１は、長方形の平板状をなす２つの平面部２１ａと、これら平面部２１ａ同士を連結する２つの曲面部２１ｂとから構成されている。２つの平面部２１ａは、互いに平行をなすとともに、厚さ方向に互いに対向して離間している。また、２つの平面部２１ａは、軸方向と平行に形成されている。そして、２つの曲面部２１ｂは、平面部２１ａの幅方向（ヨーク２１において周方向）の一方側と他方側とで２つの平面部２１ａ同士をそれぞれ連結するように形成されている。従って、２つの平面部２１ａ及び２つの曲面部２１ｂによって筒状のヨーク２１が形成されている。また、各曲面部２１ｂは、ヨーク２１の外周側に膨らむ円弧状をなすとともに、各曲面部２１ｂの外側面は、前記ハウジング本体１２の内周面と等しい曲率の曲面となっている。また、ヨーク２１には、４つの固定スリット２２が形成されている。固定スリット２２は、各曲面部２１ｂにおいて周方向に間隔を空けて形成（本例では、各曲面部２１ｂの周方向の両端部にそれぞれ形成）されるとともに、本実施形態の４つの固定スリット２２は、ヨーク２１において周方向に等角度間隔（９０°間隔）に形成されている。また、４つの固定スリット２２は、ヨーク２１の一端（図４（ａ）において上側の端部）から軸方向に沿って延びるとともに、その軸方向の長さは全て等しく形成されている。尚、各固定スリット２２の軸方向の長さは、ヨーク２１において後述するノイズ抑制室Ｒ２の軸方向の長さ（言い換えると、後述するホルダプレート８１のヨーク２１に対する固定位置）に対応する長さに設定されている。また、各固定スリット２２の底面は、軸方向と直交する平面状をなす当接面２２ａとされるとともに、４つの当接面２２ａは軸方向と直交する一平面内に位置する。
【００２６】
また、２つの平面部２１ａには、固定片２３がそれぞれ形成されている。各固定片２３は、各平面部２１ａの幅方向の中央部（周方向の中央部）であって、前記当接面２２ａよりも若干前記固定スリット２２の軸方向の開口部側となる位置に形成されている。これら固定片２３は、ヨーク２１における固定スリット２２が形成された側と反対側の軸方向の端部（図４（ａ）において下側の端部）に向けて開口する略コ字状の貫通孔２４が平面部２１ａに形成されることにより舌片状に形成されている。そして、各固定片２３は、その先端が、ヨーク２１における固定スリット２２が形成された側の軸方向の端部（図４（あ）において上側の端部）の方を向いている。
【００２７】
また、ヨーク２１における２つの平面部２１ａのうち一方の平面部２１ａ（図４（ａ）において紙面奥側の平面部２１ａ）には、一対の接続切欠き部２５（接続部）が形成されている。一対の接続切欠き部２５は、一方の平面部２１ａの軸方向の一端部（ヨーク２１において固定スリット２２が形成された側の軸方向の端部）において同平面部２１ａの幅方向に離間した２箇所に形成されるとともに、軸方向に沿った溝状（本例ではＹ字状の溝）をなしている。そして、一対の接続切欠き部２５は、一方の平面部２１ａを厚さ方向（径方向）に貫通するとともに、固定スリット２２と同様に軸方向の一方側に開口している。また、一方の平面部２１ａにおいて各接続切欠き部２５の周囲は肉薄に形成されている。
【００２８】
更に、ヨーク２１には、該ヨーク２１の軸方向の略中央部の２箇所に、磁石位置決め突起２６が形成されている。磁石位置決め突起２６は、２つの曲面部２１ｂにそれぞれ１つずつ形成されるとともに、ヨーク２１の内側に突出している。また、２つの磁石位置決め突起２６は、ヨーク２１における軸方向の位置が等しく形成されている。
【００２９】
このようなヨーク２１は、導電性を有する鋼板をプレス加工により所定の形状に打ち抜いて形成した板材を、該板材の両端の凹凸形状をなす部位が互いに噛み合わされるように筒状に丸めた後に、互いに噛み合わされた板材の端部同士を接続することにより製造される。尚、固定スリット２２、固定片２３（貫通孔２４）、接続切欠き部２５及び磁石位置決め突起２６は、ヨーク２１用の板材を打ち抜き形成するためのプレス加工の際に同時に形成される。
【００３０】
図２及び図３に示すように、ヨーク２１は、固定スリット２２が形成された側の軸方向の端部が、ハウジング本体１２の開口部１２ａ側（即ち区画壁１７と反対側）となるようにハウジング本体１２の内部に挿入されている。そして、ヨーク２１は、２つの曲面部２１ｂの外側面においてハウジング本体１２の内周面に固定されている。また、ハウジング本体１２は円筒状をなすため、ハウジング本体１２の内部に収容されたヨーク２１の各平面部２１ａとハウジング本体１２の内周面との間には隙間Ｓが形成される。
【００３１】
図４（ａ）に示すように、ヨーク２１の内周面には、一対の磁石３１が固定されている。各磁石３１は、曲面部２１ｂに対応した円弧形状に湾曲した板状をなしている。各磁石３１は、ヨーク２１における固定スリット２２と反対側の軸方向の端部から曲面部２１ｂに沿ってヨーク２１の内部に挿入されるとともに、前記磁石位置決め突起２６に軸方向から当接することによりヨーク２１に対する軸方向の位置決めがなされている（図４（ｂ）参照）。一方、図２に示すように、各磁石３１における磁石位置決め突起２６と反対側（即ち、前記区画壁１７側）の軸方向の端部には、区画壁１７から軸方向に沿って延びる磁石位置決め部１８が当接している。また、各磁石３１は、径方向外側の曲面がそれぞれ曲面部２１ｂの内側面にそれぞれ当接している。
【００３２】
また、図４（ａ）に示すように、周方向に隣り合う磁石３１の端部間には、ヨーク２１の平面部２１ａに対応してそれぞればね部材３２が配置されている。各ばね部材３２は、磁石３１の周方向の端部を曲面部２１ｂに向けて付勢している。従って、各磁石３１は、各ばね部材３２の付勢力によって、曲面部２１ｂの内側面に向かって押圧されている。
【００３３】
図２に示すように、ヨーク２１の内部であって一対の磁石３１間には、電機子４１が周方向に回転可能に配置されている。電機子４１は、略円柱状の回転軸４２と、該回転軸４２に固定された電機子コア４３と、該電機子コア４３に巻装された電機子コイル４４と、同じく回転軸４２に固定された整流子４５とを備えている。回転軸４２の先端側の部位は、前記区画壁１７の径方向の中央部に設けられた軸受４６にて軸支されるとともに、区画壁１７（更に区画壁１７内のシール部材）を貫通してハウジング本体１２の外部に（詳しくは、ポンプ室１３内に）突出している。また、前記整流子４５は、回転軸４２において前記電機子コア４３よりも同回転軸４２の基端側（図２において上端側）となる部位に回転軸４２と一体回転可能に固定されている。
【００３４】
また、ヨーク２１の内部には、電機子４１よりもハウジング本体１２の開口部１２ａ側となる位置に、ブラシ装置５１が配置されている。図３及び図５に示すように、ブラシ装置５１を構成するホルダベース５２は、電気絶縁性の樹脂材料よりなるとともに、その外周面は、２つの平面５２ａと、これら平面５２ａ同士を連結する２つの曲面５２ｂとから構成されヨーク２１の内周面に対応した形状となっている。また、ホルダベース５２の外周面は、ヨーク２１の内周面よりも僅かに小さい。
【００３５】
各平面５２ａには、径方向外側に向けて僅かに突出した平面接触突部５３が周方向に間隔を空けて複数（本例では２つ）形成されている。各平面接触突部５３は、断面形状が軸方向に一定であるとともに、各平面接触突部５３の外周面は、外側に膨らむ円弧状の曲面となっている。更に、各曲面５２ｂにも、径方向外側に向けて僅かに突出した曲面接触突部５４が周方向に間隔を空けて複数（本例では２つ）形成されている。各曲面接触突部５４は、断面形状が軸方向に一定であるとともに、各曲面接触突部５４の外周面は、外側に膨らむ円弧状の曲面となっている。
【００３６】
また、各平面５２ａの周方向の中央部には、固定凹部５５がそれぞれ形成されている。各固定凹部５５は、ホルダベース５２の中央に向かって凹設されるとともに、各固定凹部５５の内側面には、軸方向に対して傾斜した平面状をなす傾斜平面５５ａが形成されている。この傾斜平面５５ａは、ホルダベース５２の軸方向（厚さ方向に同じ）の両端面である第１配置面５２ｃ及び第２配置面５２ｄのうち第２配置面５２ｄ側を向いている。また、傾斜平面５５ａは、周方向には傾斜していない。
【００３７】
また、ホルダベース５２の外周面には、４つの固定凸部５６が形成されている。４つの固定凸部５６は、各曲面５２ｂにおける周方向の両端部にそれぞれ形成されるとともに、本実施形態の４つの固定凸部５６は、ホルダベース５２において周方向に等角度間隔（９０°間隔）となる位置に形成されている。各固定凸部５６は、略四角柱状をなすとともに、断面形状が軸方向に一定である。更に、各固定凸部５６の周方向の幅は、前記ヨーク２１に形成された固定スリット２２の周方向の幅と等しい幅に形成されている。また、各固定凸部５６の軸方向の両端面は、軸方向と直交する平面状をなしている。
【００３８】
図６に示すように、ホルダベース５２の第１配置面５２ｃの中央部には、前記軸受４６（図２参照）と対をなす軸受６１が固定されている。また、第１配置面５２ｃには、各曲面５２ｂの周方向の中央部と軸受６１との間となる位置に、曲面５２ｂの径方向に沿って延びる略四角筒状のブラシホルダ６２がそれぞれ固定されている。各ブラシホルダ６２は、導電性の金属材料にて形成されるとともに、その内部に四角柱状のブラシ６３を保持している。各ブラシ６３は、収容されたブラシホルダ６２の内周面に摺接するとともに、ブラシホルダ６２によってその径方向の移動が案内される。また、各ブラシ６３は、第１配置面５２ｃ上に配置された図示しないねじりコイルばねによって、径方向内側、即ち電機子４１の整流子４５に向けて付勢される。
【００３９】
一方、図５に示すように、ホルダベース５２の第２配置面５２ｄには、一対の給電端子６４が固定されている。一方の給電端子６４は、２つの前記ブラシホルダ６２（図６参照）のうち一方のブラシホルダに電気的に接続されるとともに、他方の給電端子６４は他方のブラシホルダ６２に電気的に接続されている。また、各給電端子６４は、第２配置面５２ｄにおける一方の平面５２ａ（図５において手前側の平面５２ａ）の近傍で軸方向に沿って延びる帯状の部位を有するとともに、該帯状の部位の先端部は、軸方向に対して傾斜した接続端子部６４ａとなっている。各接続端子部６４ａは、その先端に向かうに連れてホルダベース５２の外周側に向かうように傾斜するとともに、２つの接続端子部６４ａは互いに平行をなしている。
【００４０】
また、図３及び図５に示すように、第２配置面５２ｄには、電気ノイズ抑制装置７１が固定されている。電気ノイズ抑制装置７１は、２つのチョークコイル７２及び２つのコンデンサ７３から構成されている。
【００４１】
２つのチョークコイル７２は、第２配置面５２ｄ上で、平面５２ａと直交する方向に沿って平行に延びるように配置されている。これら２つのチョークコイル７２間には、絶縁壁５７が立設されている。そして、２つのチョークコイル７２のうち一方のチョークコイル７２は、２つの給電端子６４のうち一方の給電端子６４に電気的に接続されるとともに、他方のチョークコイル７２は他方の給電端子６４に電気的に接続されている。これにより、各チョークコイル７２は、それぞれ給電端子６４とブラシ６３との間に接続される（図７参照）。
【００４２】
２つの前記コンデンサ７３は、第２配置面５２ｄ上で、チョークコイル７２と曲面５２ｂとの間となる位置にそれぞれ配置されている。また、各コンデンサ７３は、第２配置面５２ｄと直交する方向に沿って第２配置面５２ｄから離間するに連れて側方のチョークコイル７２に（ホルダベース５２の中央側に）近づくように傾斜した状態で第２配置面５２ｄ上に配置されている。そして、各コンデンサ７３は、その周囲の三方、即ち、平面５２ａと直交する方向の両側及びチョークコイル７２と反対側が、第２配置面５２ｄ上に立設された支持壁５８によって囲まれている。各コンデンサ７３は、これらの支持壁５８及びチョークコイル７２によってホルダベース５２に対する位置決めがなされている。
【００４３】
また、各コンデンサ７３は、それぞれ第１接続端子７３ａと第２接続端子７３ｂとの２つの接続端子を備えている。各コンデンサ７３の第１接続端子７３ａは、各コンデンサ７３の隣のチョークコイル７２に沿って給電端子６４の接続端子部６４ａ側に引き出された後に、その先端部においてそれぞれ異なる給電端子６４に電気的に接続されている。また、各コンデンサ７３の第２接続端子７３ｂは、各コンデンサ７３の隣のチョークコイル７２に沿って第１接続端子７３ａと反対側に引き出された後に、第２配置面５２ｄにおいて第１接続端子７３ａと反対側で各チョークコイル７２と平面５２ａとの間にそれぞれ立設された保持壁５９にてその先端部が保持されている。尚、各コンデンサ７３は、チョークコイル７２にもたれかかるように傾斜して配置されているため、各コンデンサ７３の配置のために要するスペースの軸方向の幅が低く抑えられるとともに、第２接続端子７３ｂが平面５２ａ側へ引き出されやすくなっている。
【００４４】
上記のように構成されたブラシ装置５１は、ブラシ６３が配置された第１配置面５２ｃが電機子４１側を向くように、且つ、ホルダベース５２によってヨーク２１の内部空間が軸方向に分割されるようにヨーク２１の内部に組み付けられている。ブラシ装置５１は、ホルダベース５２がヨーク２１に固定されることにより、ヨーク２１の内部に組み付けられている。ホルダベース５２をヨーク２１に固定する際には、まず、該ホルダベース５２の４つの固定凸部５６が４つの固定スリット２２内に挿入される。この時、ホルダベース５２は、平面５２ａが平面部２１ａと対向し、且つ曲面５２ｂが曲面部２１ｂと対向するようにヨーク２１に対して配置されるとともに、平面接触突部５３が平面部２１ａに線接触し、且つ曲面接触突部５４が曲面部２１ｂに線接触する。そして、ホルダベース５２は、４つの固定凸部５６が４つの固定スリット２２の当接面２２ａにそれぞれ当接するまで軸方向に沿って移動されてヨーク２１の内部に挿入される。４つの固定凸部５６が４つの固定スリット２２の当接面２２ａにそれぞれ当接すると、各固定片２３と各固定凹部５５とが径方向に対向する。そして、各固定片２３が内側に屈曲されて固定凹部５５内に挿入されるとともに、同固定片２３は傾斜平面５５ａに面接触する。これにより、ホルダベース５２は、傾斜平面５５ａに当接した固定片２３と、固定凸部５６に当接した当接面２２ａとによって軸方向の両側から挟持されてヨーク２１に対して軸方向に移動不能に固定される。また、ホルダベース５２は、固定凸部５６が固定スリット２２に挿入されることにより、ヨーク２１に対する周方向の移動が規制されている。更に、ヨーク２１の内側面に線接触した平面接触突部５３及び曲面接触突部５４によっても、ヨーク２１に対するホルダベース５２のがたつきが抑制されている。
【００４５】
図２に示すように、ヨーク２１に固定されたホルダベース５２は、筒状のヨーク２１の内部空間を、その軸方向に、電機子４１を収容するモータ室Ｒ１と、前記電気ノイズ抑制装置７１を収容するノイズ抑制室Ｒ２とに区画している。そして、モータ室Ｒ１では、回転軸４２の基端部が第１配置面５２ｃに設けられた軸受６１に挿入されて軸支されるとともに、整流子４５には径方向外側から一対のブラシ６３が押圧接触される（図６参照）。また、一対のブラシ６３は、それぞれ各磁石３１の周方向の中央に対応した位置に配置される。
【００４６】
一方、ノイズ抑制室Ｒ２内に配置された電気ノイズ抑制装置７１は、ヨーク２１によってその周囲が囲まれている。また、電気ノイズ抑制装置７１を構成する２つのコンデンサ７３の第２接続端子７３ｂは、ヨーク２１に形成された前記一対の接続切欠き部２５内に差し込まれることにより、それぞれヨーク２１に電気的に接続して固定されている。このように、２つのコンデンサ７３の第２接続端子７３ｂがヨーク２１に接続されることにより、２つのコンデンサ７３は、ヨーク２１を介して直列に接続されている。そして、図７に示すように、互いに接続されるブラシ６３と給電端子６４との間にチョークコイル７２とコンデンサ７３とが１つずつ介在されるようになっている。また、図２及び図３に示すように、一対の接続切欠き部２５は、ヨーク２１において平面部２１ａに形成されているため、各コンデンサ７３の第２接続端子７３ｂにおいてヨーク２１よりも外側に突出する部位は、平面部２１ａとハウジング本体１２の内周面との間に形成された前記隙間Ｓ内に収容される。また、ノイズ抑制室Ｒ２内に配置された２つの給電端子６４の接続端子部６４ａは、ノイズ抑制室Ｒ２の外部に、即ちハウジング本体１２の開口部１２ａから、その開口部１２ａを閉塞する後述の端部ハウジング９１のコネクタ部９２を介して該ハウジング本体１２の外部に導出されている。
【００４７】
図２に示すように、ヨーク２１におけるノイズ抑制室Ｒ２側の軸方向の開口部は、金属製のプレート８１によって略閉塞されている。このプレート８１は、ヨーク２１におけるノイズ抑制室Ｒ２側の軸方向の開口部から外部に輻射される電気ノイズを遮蔽するためのものである。また、プレート８１には、前記接続端子部６４ａのノイズ抑制室Ｒ２の外部への導出を許容する図示しない切欠き部が形成されている。尚、ポンプ装置４を製造する際には、電機子４１及びブラシ装置５１を、着磁前の磁石３１が固定されたヨーク２１に組付けてコンデンサ７３の第２接続端子７３ｂを同ヨーク２１に接続した後に、プレート８１をヨーク２１に固定する。その後、ヨーク２１をハウジング本体１２の内部に挿入する。
【００４８】
また、ハウジング本体１２の開口部１２ａは、略板状の端部ハウジング９１によって閉塞されている。端部ハウジング９１には、筒状のコネクタ部９２が一体に形成されるとともに、これら端部ハウジング９１及びコネクタ部９２は、ハウジング本体１２と同様の電気絶縁性の樹脂材料にて形成されている。コネクタ部９２は、その中心軸線Ｌ１が、端部ハウジング９１に対して傾斜するように形成されるとともに、コネクタ部９２の端部ハウジング９１に対する傾斜角度は、前記接続端子部６４ａの前記第２配置面５２ｄに対する傾斜角度と等しくなっている。また、コネクタ部９２の内部には、短絡防止壁９３が立設されている。
【００４９】
図８に示すように、端部ハウジング９１の外周縁には、ハウジング本体１２側に延びる係合爪９４が複数形成されている（図８には、係合爪９４は１つのみ図示）。一方、ハウジング本体１２における開口部１２ａ側の端部には、外側に突出する係合凸部１２ｂが複数形成されている（図８には、係合凸部１２ｂは１つのみ図示）。そして、端部ハウジング９１をハウジング本体１２の開口部１２ａに固定する際には、端部ハウジング９１は、２つの給電端子６４の接続端子部６４ａがコネクタ部９２内に挿入されるように、接続端子部６４ａに沿ってハウジング本体１２側に移動される（図８中、矢印α参照）。そして、係合爪９４がハウジング本体１２の外部に出るように該係合爪９４を弾性変形させながら、端部ハウジング９１が接続端子部６４ａに沿ってハウジング本体１２側に移動されると、係合爪９４が係合凸部１２ｂにスナップフィット係合される。これにより、図２に示すように、コネクタ部９２内に２本の接続端子部６４ａが配置されるとともに、端部ハウジング９１がハウジング本体１２に対して固定される。尚、ハウジング本体１２の開口部１２ａ側の端面と、端部ハウジング９１の周縁部との間には、環状のシール部材９５が介在される。このシール部材９５によって、ハウジング本体１２と端部ハウジング９１との間の気密性及び液密性が確保されている。また、コネクタ部９２内に配置された２本の接続端子部６４ａ間には、短絡防止壁９３が介在されるため、該短絡防止壁９３によって接続端子部６４ａ同士の短絡が防止される。
【００５０】
そして、コネクタ部９２に図示しない外部コネクタが挿入されると、接続端子部６４ａが外部の駆動制御装置（図示略）に電気的に接続される。この駆動制御装置から２つの給電端子６４を介してブラシ６３（図６参照）に電流が供給されると、当該ブラシ６３と整流子４５との摺接により電機子４１に電流が供給されて該電機子４１が回転される。尚、電機子４１の回転方向（即ち正回転と逆回転）は、２本の給電端子６４の極性を切り替えることにより切り替えられるとともに、給電端子６４の極性を切り替えるリレーは、前記駆動制御装置に設けられている。
【００５１】
前記ポンプ室１３の内部には、インペラ１０１が収容されるとともに、該インペラ１０１は、前記区画壁１７を貫通してポンプ室１３内に突出した回転軸４２の先端部に該回転軸４２と一体回転可能に接続されている。また、前記インレット１４は、回転軸４２の回転軸線Ｌ２と直交するようにポンプ室１３の外側に向かって延びている。このインレット１４の外側開口部は、ウォッシャタンク３内の洗浄液（図１参照）を吸入するための吸入口１４ａとなるとともに、該吸入口１４ａは、インレット１４の内部空間である吸入路１４ｂを介してポンプ室１３と連通されている。また、前記一対のアウトレット１５，１６は、ポンプ室１３に対して前記インレット１４と反対側に形成されている。各アウトレット１５，１６は、略円筒状をなすとともに、その内部空間である吐出路１５ａ，１６ａは、ポンプ室１３と各インレット１４の先端の吐出口１５ｂ，１６ｂとを連通している。
【００５２】
図９に示すように、アウトレット１５，１６の先端部には、バルブ装置１１０が嵌着されている。バルブ装置１１０は、第１分割ハウジング１１１、第２分割ハウジング１１２及び弁体１１３を備えている。
【００５３】
第１分割ハウジング１１１を構成する本体部１１４は、有底筒状をなすとともに、その側壁部に筒状の流入筒部１１５が一体に形成されている。流入筒部１１５の内部空間は本体部１１４の内部空間と繋がっているとともに、この流入筒部１１５には、前記アウトレット１５の先端部が嵌入される。また、本体部１１４の底部には、本体部１１４の内外に延びる吐出筒部１１６が一体に形成されている。吐出筒部１１６の先端開口部は、洗浄液を吐出する第１吐出口１１６ａとなるとともに、同吐出筒部１１６の先端部には、フロントノズル５に繋がる配管８（図１参照）が外嵌される。そして、この第１分割ハウジング１１１の内部空間によって第１バルブ室１１７が形成されている。
【００５４】
前記第２分割ハウジング１１２は、第１分割ハウジング１１１と同一形状、即ち同一部品として形成されている。従って、第２分割ハウジング１１２は、本体部１１４、該本体部１１４と一体に形成された流入筒部１１５及び吐出筒部１１６を備えている。そして、第２分割ハウジング１１２の流入筒部１１５には、前記アウトレット１６の先端部が嵌入されるとともに、同第２分割ハウジング１１２の吐出筒部１１６の先端開口部は第２吐出口１１６ｂとなっている。そして、この第２分割ハウジング１１２の内部空間によって第２バルブ室１１８が形成されるとともに、同第２分割ハウジング１１２の吐出筒部１１６の先端部には、リヤノズル６に繋がる配管９（図１参照）が外嵌される。
【００５５】
上記のような第１分割ハウジング１１１と第２分割ハウジング１１２とは、互いの本体部１１４の開口部間に弁体１１３が介在されるようにして互いに嵌合固定されている。弁体１１３は、ゴム材料等の弾性材料にて形成されるとともに、略円盤状をなしている。そして、弁体１１３は、第１バルブ室１１７と第２バルブ室１１８との間に介在されて、該第１バルブ室１１７と該第２バルブ室１１８との圧力差によって前記第１吐出口１１６ａ及び第２吐出口１１６ｂの一方を開くと同時に他方を閉じるようになっている。
【００５６】
図１及び図２に示すように、上記のように構成されたポンプ装置４は、インレット１４がウォッシャタンク３の内部に挿入されるようにして同ウォッシャタンク３に固定されている。尚、上記したポンプ装置４において、ハウジング本体１２、ヨーク２１、電機子４１、ブラシ装置５１及び端部ハウジング９１は、モータ装置を構成している。
【００５７】
そして、このポンプ装置４を備えた車両用ウォッシャ装置１では、フロントガラス２ａに洗浄液を供給するように車両２の搭乗者等によって操作スイッチ７が操作されると、駆動制御装置（図示略）は、電機子４１を正回転させるように一対の給電端子６４に電流を供給する。一対の給電端子６４に供給された電流は、一対のブラシ６３に供給され、更に、これらブラシ６３と整流子４５との摺接により電機子４１に供給される。そして、電流が供給された電機子４１が正回転する。このとき、ポンプ装置４では、ヨーク２１の内側に設けられたノイズ抑制室Ｒ２内の電気ノイズ抑制装置７１によって、ブラシ６３と整流子４５との摺接による電気ノイズの発生が抑制されている。
【００５８】
図２及び図９に示すように、電機子４１が正回転されると、該電機子４１の回転軸４２と一体的にインペラ１０１が正回転（図９において時計方向に回転）される。そして、インペラ１０１の回転に伴って、ウォッシャタンク３内の洗浄液が吸入口１４ａから吸入路１４ｂに吸引されるとともに、該洗浄液は、ポンプ室１３から吐出路１５ａ内に大きな正圧の圧力で供給される。尚、この時、吐出路１６ａ側にも小さな正圧の圧力が加わる。すると、第１バルブ室１１７内の圧力が大きな正圧となる一方、吐出路１６ａと連通した第２バルブ室１１８内の圧力が小さな正圧となる。その結果、第１バルブ室１１７と第２バルブ室１１８との圧力差によって弁体１１３が第２バルブ室１１８側に押圧され、同弁体１１３が第２分割ハウジング１１２の吐出筒部１１６の基端開口部を閉塞する。即ち、第１吐出口１１６ａが開かれる一方、第２吐出口１１６ｂが弁体１１３によって閉じられる。よって、第１バルブ室１１７内に流入した洗浄液は、第１吐出口１１６ａから吐出され、更に、配管８を通ってフロントノズル５からフロントガラス２ａに噴射される（図１参照）。そして、駆動制御装置によってポンプ装置４への通電が停止されると、インペラ１０１の正回転が停止されてフロントガラス２ａへの洗浄液の供給が停止される。
【００５９】
一方、リヤガラス２ｂに洗浄液を供給するように車両２の搭乗者等によって操作スイッチ７が操作されると、駆動制御装置は、電機子４１を逆回転させるように一対の給電端子６４に電流を供給する。一対の給電端子６４に供給された電流は、ブラシ６３と整流子４５との摺接により電機子４１に供給される。そして、電流が供給された電機子４１が逆回転する。この時も同様に、ポンプ装置４では、ヨーク２１の内側に設けられたノイズ抑制室Ｒ２内の電気ノイズ抑制装置７１によって、ブラシ６３と整流子４５との摺接による電気ノイズの発生が抑制されている。
【００６０】
電機子４１が逆回転されると、該電機子４１の回転軸４２と一体的にインペラ１０１が逆回転（図９において反時計方向に回転）される。そして、吸入口１４ａから吸入路１４ｂに吸引された洗浄液が、ポンプ室１３から吐出路１６ａ内に大きな正圧の圧力で供給される。尚、この時、吐出路１５ａ側にも小さな正圧の圧力が加わる。すると、第２バルブ室１１８内の圧力が大きな正圧となる一方、吐出路１５ａと連通した第１バルブ室１１７内の圧力が小さな正圧となる。その結果、第１バルブ室１１７と第２バルブ室１１８との圧力差によって弁体１１３が第１バルブ室１１７側に押圧され、同弁体１１３が第１分割ハウジング１１１の吐出筒部１１６の基端開口部を閉塞する。即ち、第２吐出口１１６ｂが開かれると同時に、第１吐出口１１６ａが弁体１１３によって閉じられる。よって、第２バルブ室１１８内に流入した洗浄液は、第２吐出口１１６ｂから吐出され、更に、配管９を通ってリヤノズル６からリヤガラス２ｂに噴射される（図１参照）。そして、駆動制御装置によって電機子４１への通電が停止されると、インペラ１０１の逆回転が停止されてリヤガラス２ｂへの洗浄液の供給が停止される。
【００６１】
上記したように、本実施形態によれば、以下の効果を有する。
（１）磁石３１による磁束の磁路を形成する筒状のヨーク２１の内部空間を、一側面（第１配置面５２ｃ）にブラシ６３が配置され他側面（第２配置面５２ｄ）に電気ノイズ抑制装置７１が配置されたホルダベース５２によってモータ室Ｒ１とノイズ抑制室Ｒ２とに区画している。従って、回転駆動力を発生するモータ部分と、整流子４５とブラシ６３との摺接による電気ノイズの発生を抑制する電気ノイズ抑制装置７１とが一体的に構成されるとともに、１つのヨーク２１の内部空間をホルダベース５２にて区画してモータ室Ｒ１とノイズ抑制室Ｒ２とを形成しているため部品点数及び組付け工数を低減できる。また、ヨーク２１の内部空間を軸方向に分割するようにホルダベース５２を同ヨーク２１に固定しているため、整流子４５に摺接するブラシ６３及び電気ノイズ抑制装置７１の両方が、磁路を形成するヨーク２１によって囲まれることになる。従って、電機子４１に電流を供給するための電源ラインを伝わる電気ノイズを電気ノイズ抑制装置７１にて抑制するだけでなく、空中に輻射される電気ノイズをもヨーク２１によって遮断（シールド）することができる。よって、電気ノイズ抑制効果を向上させることができる。更に、磁石３１が固定されたヨーク２１に対して、ブラシ６３を保持したホルダベース５２が直接固定されるため、組付け誤差の累積を抑制することができる。従って、磁石３１の位置によってその配置位置が設定されるブラシ６３は、整流子４５に対して位置や姿勢のずれが抑制される。
【００６２】
（２）筒状のヨーク２１を、当接面２２ａ及び固定片２３を有する形状とすることにより、別部品を追加することなく同ヨーク２１に対してホルダベース５２を位置決めして固定することができる。従って、ヨーク２１に対するホルダベース５２の固定を安価に行うことができる。
【００６３】
（３）接続切欠き部２５に挿入された第２接続端子７３ｂが平面部２１ａを貫通してヨーク２１の外部に突出したとしても、当該第２接続端子７３ｂにおいて平面部２１ａよりもヨーク２１の外側に突出した部位は、平面部２１ａとハウジング本体１２との間に形成される隙間Ｓの内部に収容される。従って、ハウジング本体１２の内部へのヨーク２１の挿入を円滑に行うことができる。また、コンデンサ７３の第２接続端子７３ｂをヨーク２１に対して確実に電気的接続をしつつ固定できる。
【００６４】
（４）固定片２３は平板状の平面部２１ａに形成されているため、その固定片２３も平板状に形成される。そのため、平板状の固定片２３は、ヨーク２１の内側に向けて屈曲されると、ホルダベース５２の固定凹部５５内に挿入されるとともに同固定凹部５５の内部の平面状の傾斜平面５５ａに面接触する。従って、ホルダベース５２をヨーク２１に対してがたつきなく強固に固定することができる。
【００６５】
（５）ハウジング本体１２におけるノイズ抑制室Ｒ２側の軸方向の開口部１２ａが端部ハウジング９１によって閉塞されることで、ノイズ抑制室Ｒ２が密閉される。その端部ハウジング９１に一体に形成されたコネクタ部９２は、給電端子６４の接続端子部６４ａを囲繞するように形成されているため、給電用の外部コネクタを該コネクタ部９２に挿入することで容易に接続することができる。また、コネクタ部９２が接続端子部６４ａを囲繞する筒状をなすため、接続端子部６４ａと外部コネクタとの接続状態が安定しやすくなる。そして、このコネクタ部９２に外部コネクタを接続することで、給電端子６４から電気ノイズ抑制装置７１を介してブラシ６３に給電できるようになる。
【００６６】
（６）ポンプ装置４は、部品点数及び組付け工数を低減するとともに、組付け誤差の累積を抑制することができるモータ装置を備えている。従って、ポンプ装置４としても製造コストが低減されるとともに、同ポンプ装置４において整流子４５とブラシ６３との摺接が円滑に行われる。また、このポンプ装置４では、整流子４５とブラシ６３との摺接による電気ノイズの発生が電気ノイズ抑制装置７１によって抑制されるとともに、発生された電気ノイズがポンプ装置４の外部に放出されることがヨーク２１によって抑制されている。従って、ポンプ装置４は、該ポンプ装置４の周囲に配置された電子機器に電気ノイズの影響を与え難くなっている。
【００６７】
（７）ホルダベース５２の軸方向の位置決めは、ヨーク２１に形成された固定スリット２２の底面である当接面２２ａによって行われるため、ホルダベース５２の軸方向の位置が定まりやすい。また、ホルダベース５２をヨーク２１に固定するために固定片２３を屈曲する際に、ホルダベース５２に対して軸方向に大きな力が加わったとしても、ホルダベース５２の軸方向の移動は当接面２２ａによってしっかりと受け止められる。また、固定凸部５６が固定スリット２２に挿入されることにより、ホルダベース５２のヨーク２１に対する周方向の位置決めが容易となるとともに、ホルダベース５２のヨーク２１に対する周方向の移動を容易に防止できる。
【００６８】
尚、本発明の実施形態は、以下のように変更してもよい。
・上記実施形態では、ポンプ装置４は、電機子４１の回転方向に応じて、２つのアウトレット１５，１６のうち何れか一方のアウトレットから択一的に洗浄液を噴射するようになっている。しかしながら、ポンプ装置４は、アウトレットを１つのみ備え、一方向のみに回転される電機子４１の回転に伴って当該アウトレットから洗浄液を噴射する構成とされてもよい。そのとき、当然ながらバルブ装置１１０は不要である。
【００６９】
・ポンプ装置４は、フロントガラス２ａ若しくはリヤガラス２ｂに洗浄液を供給する車両用ウォッシャ装置１に限らず、タンク等に貯留された液体を別の場所に供給する装置に用いられてもよい。また、ハウジング本体１２、ヨーク２１、電機子４１、ブラシ装置５１及び端部ハウジング９１にて構成されるモータ装置は、ポンプ装置４以外の装置、例えば、ドアロックやドアミラーなどに用いられる電動アクチュエータの駆動源として用いられてもよい。
【００７０】
・上記実施形態では、端部ハウジング９１をハウジング本体１２に組み付ける際に、コネクタ部９２の内側に給電端子６４の接続端子部６４ａが挿入されるようになっている。しかしながら、給電端子６４を互いに接続可能な２つの端子から構成し、一方の端子をホルダベース５２に固定する一方で、他方の端子をコネクタ部９２（若しくは端部ハウジング９１）にインサート成形等により一体的に形成してもよい。この場合、端部ハウジング９１をハウジング本体１２に組み付ける際に、ホルダベース５２側の端子とコネクタ部９２側の端子とが互いに接続される。
【００７１】
・上記実施形態では、固定片２３は、ヨーク２１において平面部２１ａに形成されている。しかしながら、固定片２３は曲面部２１ｂに形成されてもよい。この場合、固定凹部５５は、曲面部２１ｂに形成された固定片２３に対応するように、ホルダベース５２において曲面５２ｂに形成される。
【００７２】
・上記実施形態では、ヨーク２１は、２つの平面部２１ａとこれら平面部２１ａを連結する２つの曲面部２１ｂとから構成されて筒状をなしている。しかしながら、ヨーク２１は、１つの平面部２１ａと、該平面部２１ａの幅方向の両端部を連結する１つの曲面部２１ｂとによって筒状に形成されてもよい。この場合、接続切欠き部２５を１つの平面部２１ａに形成すると、ハウジング本体１２が円筒状であれば上記実施形態の（３）と同様の作用効果を得ることができる。また、ヨーク２１は、円筒状に形成されてもよい。
【００７３】
・上記実施形態では、ヨーク２１は、固定スリット２２を４つ備えている。しかしながら、固定スリット２２の数は４つに限らず、ホルダベース５２をヨーク２１に固定可能な位置に複数形成されればよい。そして、固定凸部５６は、固定スリット２２の数及び位置に合わせてホルダベース５２に形成されればよい。
【００７４】
・図１０に示すように、固定スリット２２に代えて、位置決め部としての位置決め突起１２１をヨーク２１に形成してもよい。この場合、固定凸部５６はホルダベース５２に形成されない。位置決め突起１２１は、ヨーク２１の内側に突出した突起であるとともに、ヨーク２１においてホルダベース５２が固定される位置に対応した位置に形成されている。より詳しくは、位置決め突起１２１は、ヨーク２１の内部に配置されたホルダベース５２の第１配置面５２ｃが軸方向から当接する位置に形成されている。この位置決め突起１２１は、ヨーク２１用の板材を打ち抜き形成するためのプレス加工の際に同時に形成される。そして、ホルダベース５２は、位置決め突起１２１と、ヨーク２１の内側に屈曲された固定片２３とによって挟持されることにより、ヨーク２１に対して固定される。このようにしても、廃材の発生を抑え、別部品を追加することなくヨーク２１に対してホルダベース５２を位置決めして固定することができるため、ヨーク２１に対するホルダベース５２の固定を安価に行うことができる。尚、図１０に示す例では、位置決め突起１２１は、曲面部２１ｂに形成されているが、平面部２１ａに形成してもよい。また、位置決め突起１２１の数は、複数であれば、適宜変更してもよい。
【００７５】
・ハウジング本体１２は、内側にヨーク２１を収容可能な筒状に形成されるのであれば、必ずしも円筒状でなくてもよい。例えば、ハウジング本体１２は、多角筒状であってもよい。
【００７６】
・ホルダベース５２の形状は、上記実施形態の形状に限らない。ホルダベース５２は、その一側面にブラシ６３が配置されるとともに、その他側面に電気ノイズ抑制装置７１が配置され、更に、ヨーク２１の内部空間を軸方向に分割してモータ室Ｒ１とノイズ抑制室Ｒ２とに区画するように同ヨーク２１に固定可能な形状であればよい。
【００７７】
・上記実施形態では、ヨーク２１は筒状をなしている。しかしながら、ヨーク２１は、電機子４１及びブラシ装置５１を収容する筒状の筒状部を備えた形状であればよい。例えば、ヨーク２１は、有底筒状であってもよい。
【符号の説明】
【００７８】
４…ポンプ装置、１１…ポンプハウジング、１２…ハウジング本体、１２ａ…開口部、１３…ポンプ室、１４…インレット、１５，１６…アウトレット、２１…筒状部としてのヨーク、２１ａ…平面部、２１ｂ…曲面部、２２ａ…位置決め部としての当接面、２３…固定片、２５…接続部としての接続切欠き部、３１…磁石、４１…電機子、４２…回転軸、４５…整流子、５１…ブラシ装置、５２…ホルダベース、５５…固定凹部、５５ａ…内側面としての傾斜平面、５２ｃ…一側面としての第１配置面、５２ｄ…他側面としての第２配置面、６３…ブラシ、６４…給電端子、６４ａ…接続端子部、７１…電気ノイズ抑制装置、７２…電気素子としてのチョークコイル、７３…電気素子としてのコンデンサ、７３ａ…接続端子としての第１接続端子、７３ｂ…接続端子としての第２接続端子、９１…端部ハウジング、９２…コネクタ部、１０１…インペラ、１２１…位置決め部としての位置決め突起、Ｒ１…モータ室、Ｒ２…ノイズ抑制室。
【図１】
2012044814.tif 000003
【図２】
2012044814.tif 000004
【図３】
2012044814.tif 000005
【図４】
2012044814.tif 000006
【図５】
2012044814.tif 000007
【図６】
2012044814.tif 000008
【図７】
2012044814.tif 000009
【図８】
2012044814.tif 000010
【図９】
2012044814.tif 000011
【図１０】
2012044814.tif 000012